(57)【要約】      （修正有）【課題】デザインとして面白みのある容器としながらも、積み重ねた弁当用容器が不安定になることを防止した弁当用容器を提供する。【解決手段】上方に向かって開口する容器本体開口部１３を有し、内部に食品が収容される容器本体１と、容器本体開口部１３を覆う蓋体底壁部２１と、蓋体底壁部２１の周縁部から上方に伸延する蓋体周壁部２２と、少なくとも蓋体底壁部２１と蓋体周壁部２２とによって区画された装飾体収容部と、を有する蓋体２と、装飾体収容部に配設された装飾体本体部３１と、下端部が蓋体底壁部２１に当接し、上端部が装飾体本体部３１に連なり、装飾体本体部３１から装飾体本体部３１の内側斜め下方に向かって延びる起立位置と起立位置よりも更に装飾体本体部３１の内側に向かって延びる倒伏位置との間を揺動可能に構成されている脚部３２と、倒伏位置に位置する脚部３２を起立位置に向かって付勢する付勢部３３と、を有する装飾体３と、を備える。【選択図】図２
0003197135.tif 000002
【実用新案登録請求の範囲】
【請求項１】
上方に向かって開口する容器本体開口部を有し、内部に食品が収容される容器本体と、
前記容器本体開口部を覆う蓋体底壁部と、該蓋体底壁部の周縁部から上方に伸延する蓋体周壁部と、少なくとも前記蓋体底壁部と前記蓋体周壁部とによって区画された装飾体収容部と、を有する蓋体と、
前記装飾体収容部に配設された装飾体本体部と、下端部が前記蓋体底壁部に当接し、上端部が前記装飾体本体部に連なり、前記装飾体本体部から前記装飾体本体部の内側斜め下方に向かって延びる起立位置と前記起立位置よりも更に前記装飾体本体部の内側に向かって延びる倒伏位置との間を揺動可能に構成されている脚部と、前記倒伏位置に位置する前記脚部を前記起立位置に向かって付勢する付勢部と、を有する装飾体であって、前記脚部が前記起立位置に位置している状態において前記装飾体本体部の少なくとも一部が前記蓋体周壁部の上端周縁から上方に突出し、前記脚部が前記倒伏位置に位置している状態において前記装飾体本体部が前記脚部が前記起立位置に位置している状態よりも下方に位置するよう構成されている装飾体と、を備える弁当用容器。
【請求項２】
前記装飾体は、前記脚部が前記倒伏位置に位置している状態において、前記装飾体本体部の全体が前記装飾体収容部の内部に位置するよう構成されている、請求項１に記載の弁当用容器。
【請求項３】
前記付勢部は、上下方向に延在する板状の弾性体であり、上端部が前記装飾体本体部に取り付けられ、中間部が内側に向かって屈曲して形成され、下端部が前記起立位置よりも前記装飾体本体部の内側に向かって延びる位置に位置する前記脚部に当接して当該脚部を前記起立位置に向かって付勢する、請求項１又は２に記載の弁当用容器。
【請求項４】
前記装飾体は、上下方向から見て、下端周縁の形状が前記蓋体周壁部の上端周縁の形状と相似形に形成され、且つ下端周縁によって区画される部分が前記蓋体周壁部の上端周縁によって区画される部分の面積よりも大きい面積を有する、請求項１乃至３の何れかに記載の弁当用容器。
【請求項５】
前記装飾体収容部は、上面が下面の面積よりも小さい面積を有する錘台状に形成されている、請求項１乃至４の何れかに記載の弁当用容器。
【請求項６】
前記容器本体は、上下方向から見て前記蓋体周壁部の上端周縁によって区画される部分の面積よりも大きい面積を有する、請求項１乃至５の何れかに記載の弁当用容器。 
【考案の詳細な説明】
【技術分野】
【０００１】
本考案は、弁当用容器に関する。
【背景技術】
【０００２】
従来から、駅弁や店売りの弁当箱として使用され、積み重ねて陳列することが可能な弁当用容器が知られている（例えば特許文献１参照）。
【０００３】
この弁当用容器は、容器本体と、容器本体に被せる蓋とを備えている。そして、蓋の上面は平坦に形成されている。これによって、弁当を積み重ねたときに不安定になり難くしている。
【先行技術文献】
【特許文献】
【０００４】
【特許文献１】特開平９−２４４７号公報
【考案の概要】
【考案が解決しようとする課題】
【０００５】
しかし、特許文献１に記載の弁当用容器は、蓋の上面が平坦に形成され、安定して積み重ねることができるものの、包装用容器のデザインに面白みを持たせにくいという問題があった。
【課題を解決するための手段】
【０００６】
上記課題を解決するため、本考案のある態様に係る弁当用容器は、上方に向かって開口する容器本体開口部を有し、内部に食品が収容される容器本体と、前記容器本体開口部を覆う蓋体底壁部と、該蓋体底壁部の周縁部から上方に伸延する蓋体周壁部と、少なくとも前記蓋体底壁部と前記蓋体周壁部とによって区画された装飾体収容部と、を有する蓋体と、前記装飾体収容部に配設された装飾体本体部と、下端部が前記蓋体底壁部に当接し、上端部が前記装飾体本体部に連なり、前記装飾体本体部から前記装飾体本体部の内側斜め下方に向かって延びる起立位置と前記起立位置よりも更に前記装飾体本体部の内側に向かって延びる倒伏位置との間を揺動可能に構成されている脚部と、前記倒伏位置に位置する前記脚部を前記起立位置に向かって付勢する付勢部と、を有する装飾体であって、前記脚部が前記起立位置に位置している状態において前記装飾体本体部の少なくとも一部が前記蓋体周壁部の上端周縁から上方に突出し、前記脚部が前記倒伏位置に位置している状態において前記装飾体本体部が前記脚部が前記起立位置に位置している状態よりも下方に位置するよう構成されている装飾体と、を備える。
【０００７】
この構成によれば、弁当用容器を上面が上方に突出したデザインとして面白みのある容器とすることができる。また、弁当用容器を上面が上方に突出したデザインとして面白みのある容器としながらも、積み重ねた弁当用容器が不安定になることを防止することができる。
【０００８】
前記装飾体は、前記脚部が前記倒伏位置に位置している状態において、前記装飾体本体部の全体が前記装飾体収容部の内部に位置するよう構成されていてもよい。
【０００９】
この構成によれば、積み重ねた弁当用容器が不安定になることをより効果的に防止することができる。
【００１０】
前記付勢部は、上下方向に延在する板状の弾性体であり、上端部が前記装飾体本体部に取り付けられ、中間部が内側に向かって屈曲して形成され、下端部が前記起立位置よりも前記装飾体本体部の内側に向かって延びる位置に位置する前記脚部に当接して当該脚部を前記起立位置に向かって付勢していてもよい。
【００１１】
この構成によれば、簡素な構成で、装飾体を蓋体に対して上昇させることができる。
【００１２】
前記装飾体は、上下方向から見て、下端周縁の形状が前記蓋体周壁部の上端周縁の形状と相似形に形成され、且つ下端周縁によって区画される部分が前記蓋体周壁部の上端周縁によって区画される部分の面積よりも大きい面積を有していてもよい。
【００１３】
この構成によれば、装飾体が蓋体から抜け落ちることを防止することができる。
【００１４】
前記装飾体収容部は、上面が下面の面積よりも小さい面積を有する錘台状に形成されていてもよい。
【００１５】
この構成によれば、装飾体収容部の内部において装飾体を円滑に昇降させることができる。
【００１６】
前記容器本体は、上下方向から見て前記蓋体周壁部の上端周縁によって区画される部分の面積よりも大きい面積を有する容器本体底壁部を有していてもよい。
【００１７】
この構成によれば、蓋部の上に他の弁当用容器を置いて複数の弁当用容器を積み上げることができる。
【考案の効果】
【００１８】
本考案は、弁当用容器を上面が上方に突出したデザインとして面白みのある容器とすることができるという効果を奏する。また、弁当用容器を上面が上方に突出したデザインとして面白みのある容器としながらも、積み重ねた弁当用容器が不安定になることを防止することができるという効果を奏する。
【図面の簡単な説明】
【００１９】
【図１】本考案の実施の形態に係る弁当用容器の構成例を示す斜視図である。
【図２】図１の弁当用容器の構成例を示す分解斜視図である。
【図３】図１の弁当用容器の構成例を示す縦断面図であり、装飾体の脚部が起立位置に位置する状態を示す図である。
【図４】図１の弁当用容器の構成例を示す縦断面図であり、装飾体の脚部が倒伏位置に位置する状態を示す図である。
【図５】図１の弁当用容器の使用例を示す図である。
【考案を実施するための形態】
【００２０】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００２１】
図１は、本考案の実施の形態に係る弁当用容器１００の構成例を示す斜視図である。図２は、弁当用容器１００の構成例を示す分解斜視図である。図３は、弁当用容器１００の構成例を示す縦断面図であり、後述する装飾体３の脚部３２が起立位置Ｐ１に位置する状態を示す図である。図４は、弁当用容器１００の構成例を示す縦断面図であり、後述する装飾体３の脚部３２が倒伏位置Ｐ２に位置する状態を示す図である。
【００２２】
以下では、弁当用容器１００を載置面に載置した状態における鉛直上方向を単に上といい、鉛直下方向を単に下という。
【００２３】
図１〜４に示すように、弁当用容器１００は、容器本体１と、蓋体２と、装飾体３とを備える。容器本体１、蓋体２、及び装飾体３は、ぞれぞれ主に紙、樹脂等で構成されている。
【００２４】
容器本体１は、内部に食品が収容される容器である。容器本体１は、例えば、四角錘台状に形成され、底壁部（容器本体底壁部）１１（図２及び図３参照）と、周壁部（容器本体周壁部）１２とを含む。
【００２５】
周壁部１２は、上下方向に延在している。周壁部１２は、筒状に形成され、上方に向かうに従って窄まるように形成されている。周壁部１２の上端縁が容器本体開口部１３を構成している（図３，４参照）。したがって、容器本体開口部１３は、上方に向かって開口している。容器本体１は、周壁部１２の下端周縁１２ｂを接地させて載置面に載置される。この載置面とは、例えば陳列棚の棚板の上面である。周壁部１２の上端縁（容器本体開口部１３）及び下端周縁１２ｂは、何れも水平方向に延在している。
【００２６】
底壁部１１は、平板状に形成され、水平方向に延在するよう配設されている。そして、底壁部１１は、周壁部１２の下側開口を閉塞している。そして、底壁部１１の上方に位置し、且つ底壁部１１及び周壁部１２によって区画された容器本体１の内部空間が食品収容部１５を構成する。食品収容部１５は、食品を収容する空間であり、容器本体開口部１３を介して、食品を食品収容部１５に収容したり、取り出したりすることができるように構成されている。
【００２７】
また、底壁部１１は、周壁部１２の下端部よりも上方の内側の面に連なって配設されている。すなわち、周壁部１２は、底壁部１１よりも下方に突出している。すなわち、容器本体１を載置面に載置した時に、載置面と底壁部１１とが離間するように構成されている。これによって、弁当用容器１００の載置面から食品収容部１５に収容された食品に熱が伝わり、食品収容部１５に収容された食品の保存状態が悪化することを防止している。
【００２８】
蓋体２は、容器本体開口部１３を覆うように容器本体１に装着される蓋である。蓋体２は、例えば、四角錘台状に形成され、底壁部（蓋体底壁部）２１と、周壁部（蓋体周壁部）２２とを含む。
【００２９】
周壁部２２は、上下方向に延在している。周壁部２２は、筒状に形成され、上方に向かうに従って窄まるように形成されている。
【００３０】
上下方向から見て、上述の容器本体１の底壁部１１は、周壁部２２の上端周縁２２ａによって区画される部分の面積よりも大きい面積を有するように構成されている。したがって、ある弁当用容器１００の周壁部２２の上端周縁２２ａの上に他の弁当用容器１００の容器本体１の底壁部１１が当接するようにして、複数の弁当用容器１００を積み上げることができるように構成される。これによって、複数の弁当用容器１００をコンパクトに陳列することができる。
【００３１】
底壁部２１は、水平方向に延在するよう配設され、蓋体２を容器本体１に被せた状態において、容器本体１の容器本体開口部１３を覆うように構成されている。そして、底壁部２１は、周壁部２２の下側開口を閉塞している。すなわち、周壁部２２は、底壁部２１の周縁部から上方に伸延している。底壁部２１の上方に位置し、底壁部２１と周壁部２２とによって区画された空間が装飾体収容部２３を構成している。この装飾体収容部２３は、上面が下面の面積よりも小さい面積を有する錘台状に形成されている。本実施の形態において、装飾体収容部２３は、角錘台状に形成されている。
【００３２】
また、底壁部２１は、周壁部２２の下端周縁２２ｂよりも上方の周壁部２２の内側の面に連なって配設されている。すなわち、周壁部２２は、底壁部２１よりも下方に突出している。そして、上下方向から見て、周壁部２２の下端周縁２２ｂによって区画される部分の面積は、容器本体１の周壁部１２の上端周縁１２ａによって区画される部分の面積よりも大きく形成されている。したがって、容器本体１の周壁部１２の外側に蓋体２の周壁部２２が位置するようにして、蓋体２を容器本体１に被せることができるようになっている。これによって、容器本体１に対して蓋体２が水平方向に動くことが規制され、蓋体２が容器本体１からずれて落ちることを防止している。
【００３３】
装飾体３は、装飾体本体部３１と、脚部３２と、付勢部３３とを含む。
【００３４】
装飾体本体部３１は、装飾体収容部２３に配設されている。そして、装飾体本体部３１は、例えば寄棟屋根状に形成されている。すなわち、装飾体本体部３１は、下端周縁３１ａが矩形に形成され、水平方向に延在している。そして、下端周縁３１ａの２対の対向する辺のうち、一方の対を成す辺のそれぞれから台形状の第１上壁３１ｂが内側斜め上方に延在している。そして、一方の第１上壁３１ｂの上端縁は、他方の第１上壁３１ｂの上端縁と連なっており、他方の第１上壁３１ｂの上端縁と共に装飾体本体部３１の頂部を構成している。また、他方の対を成す辺のそれぞれから三角形状の第２上壁３１ｃが内側斜め上方に延在している。そして、各第２上壁３１ｃの一対の側縁は、それぞれ内側斜め上方に延在する。そして、各第２上壁３１ｃは、一対の第１上壁３１ｂの対応する側の側縁に連なっている。
【００３５】
また、装飾体本体部３１は、下端周縁３１ａの形状が、蓋体２の周壁部２２の上端周縁２２ａの形状と相似形に形成されている。そして、下端周縁３１ａによって区画される部分が蓋体２の周壁部２２の上端周縁２２ａによって区画される部分の面積よりも大きい面積を有するように構成されている。したがって、図３に示すように、装飾体収容部２３に位置する装飾体本体部３１を上方に移動させると、装飾体本体部３１の下端周縁３１ａ又はこれに近接する部分が蓋体２の周壁部２２の上端周縁２２ａの近傍に当接し、そこからの更なる装飾体本体部３１の上方への移動が規制される。したがって、装飾体収容部２３に位置する装飾体３が蓋体２から抜け落ちることを防止することができる。
【００３６】
図３及び図４に示すように、脚部３２は、下端部が蓋体２の底壁部２１に当接し、上端部が装飾体本体部３１に連なっている。そして、脚部３２は、装飾体本体部３１から装飾体本体部３１の内側斜め下方に向かって延びる起立位置Ｐ１（図３参照）と、起立位置Ｐ１よりも更に装飾体本体部３１の内側に向かって延びる倒伏位置Ｐ２（図４参照）との間を揺動可能に構成されている。したがって、脚部３２が起立位置Ｐ１に位置している状態においては、装飾体本体部３１が脚部３２によって上昇させられた（持ち上げられた）状態となる。また、脚部３２が倒伏位置Ｐ２に位置している状態においては、脚部３２が起立位置Ｐ１に位置している状態よりも装飾体本体部３１が下方に位置する状態となる。
【００３７】
そして、図３に示すように、装飾体３は、脚部３２が起立位置Ｐ１に位置している状態において装飾体本体部３１の少なくとも一部が蓋体２の周壁部２２の上端周縁２２ａから上方に突出するように構成されている。これによって、弁当用容器１００を上面が上方に突出したデザインとし、弁当用容器１００を面白みのある容器とすることができる。
【００３８】
また、図４に示すように、装飾体３の装飾体本体部３１は、脚部３２が倒伏位置Ｐ２に位置している状態において、脚部３２が起立位置Ｐ１に位置している状態よりも下方に位置するよう構成されている。
【００３９】
本実施の形態において、脚部３２は、一対設けられている。そして、一対の脚部３２は、一対の第２上壁３１ｃの下端のそれぞれに連なる部材が内側に折り曲げられることによって構成されている。各脚部３２は、横長長方形状に形成され、蓋体２の底壁部２１に当接している脚部３２の下端部は、自由端である。このように、一対の脚部３２は、装飾体本体部３１を支持している。
【００４０】
そして、装飾体３の装飾体本体部３１は、脚部３２が倒伏位置Ｐ２に位置している状態において、装飾体本体部３１の全体が装飾体収容部２３の内部に位置するよう構成されている。すなわち、装飾体本体部３１の頂部が、蓋体２の周壁部２２の上端周縁２２ａの高さ位置と同じ高さ位置又は蓋体２の周壁部２２の上端周縁２２ａの高さ位置よりも下方に位置するよう構成されている。
【００４１】
付勢部３３は、倒伏位置Ｐ２に位置する脚部３２を起立位置Ｐ１に向かって付勢する。そして、付勢部３３は、倒伏位置Ｐ２に位置する脚部３２を起立位置Ｐ１に向かって付勢する。
【００４２】
本実施の形態において、付勢部３３は、一対設けられている。そして、付勢部３３は、上下方向に延在する薄い板状の弾性体であり、例えば合成樹脂製である。そして、付勢部３３の上端部３３ａは、対応する第２上壁３１ｃに取り付けられている。また、付勢部３３の中間部３３ｂは、上下方向から見て、装飾体本体部３１の内側に向かって屈曲して形成されている。そして、付勢部３３の下端部３３ｃは、自由端に形成されている。付勢部３３の中間部３３ｂの幅寸法は、上端部３３ａ及び下端部３３ｃの幅寸法よりも狭く形成されている。よって、付勢部３３の中間部３３ｂは、上端部３３ａ及び下端部３３ｃよりも曲がり易く構成されており、付勢部３３の下端部３３ｃを内側に押圧すると、付勢部３３の中間部３３ｂが屈曲するように構成されている。但し、当該構成に限られるものではない。
【００４３】
そして、付勢部３３は、上下方向から見て、下端部３３ｃが起立位置Ｐ１よりも装飾体本体部３１の内側に向かって延びる位置に位置する脚部３２に当接するように構成されている。よって、起立位置Ｐ１よりも装飾体本体部３１の内側に向かって延びるように脚部３２が位置している状態において、付勢部３３は、上下方向から見て、脚部３２を装飾体本体部３１の外側に向かって、すなわち起立位置Ｐ１に向かって押圧する。これによって、脚部３２は、下端部が蓋体２の底壁部２１上を外側に向かってスライドし、倒伏位置Ｐ２から起立位置Ｐ１に向かって揺動する。その結果、脚部３２は起き上がった姿勢となり、装飾体本体部３１は、この脚部３２によって底壁部２１に対して上方に持ち上げられる。
【００４４】
付勢部３３の中間部３３ｂの幅寸法は、脚部３２を介して装飾体本体部３１を持ち上げるために必要な反発力を発生するように規定されている。
【００４５】
また、上述した通り、蓋体２の装飾体収容部２３は、上面が下面の面積よりも小さい面積を有する錘台状に形成されているので、装飾体収容部２３の内部において装飾体３を円滑に昇降させることができる。
【００４６】
［使用例］
次に、弁当用容器１００の使用例を説明する。
【００４７】
図５は、弁当用容器１００の使用例を示す図である。
【００４８】
図５に示すように、載置面に載置した弁当用容器１００Ａの上に他の弁当用容器１００Ｂを載置すると、弁当用容器１００Ｂの容器本体１の底壁部１１によって、弁当用容器１００Ａの装飾体３の装飾体本体部３１が下方に押圧され、装飾体本体部３１の頂部が、蓋体２の周壁部２２の上端周縁２２ａの高さ位置と同じ高さ位置又は蓋体２の周壁部２２の上端周縁２２ａの高さ位置よりも下方に位置する。その結果、弁当用容器１００Ｂは、弁当用容器１００Ａの水平方向に延在する周壁部２２の上端周縁２２ａ上に載置され、弁当用容器１００Ａの周壁部２２が弁当用容器１００Ｂを支持する。したがって、弁当用容器１００Ａの上に載置した弁当用容器１００Ｂが不安定になることを防止することができる。すなわち、弁当用容器１００Ａの上方に突出する装飾体本体部３１によって弁当用容器１００Ｂが不安定に弁当用容器１００Ａ上に載置されることを防止することができる。
【００４９】
そして、同様に、弁当用容器１００Ｂの上に、更に他の弁当用容器１００Ｃを載置することができる。このように、店頭等において、複数の弁当用容器１００を積み上げてコンパクトに陳列することができる。
【００５０】
そして、弁当用容器１００Ｂの上に載置した弁当用容器１００Ｃを取り除くと、再び装飾体本体部３１は上方に持ち上げられる。弁当用容器１００Ｂは、再びデザインとしての面白みを発揮する。すなわち、弁当用容器１００に係る弁当を購入した者は、弁当用容器１００に係る弁当を喫食する際等に、弁当用容器１００のデザインとしての面白みを楽しむことができる。
【００５１】
また、弁当用容器１００を上下に昇降する動きを有する装飾体３を備える面白みのあるものとすることができる。よって、弁当用容器１００に係る弁当を喫食した後に、例えば玩具として用いることができる。
【００５２】
以上に説明したように、本考案の弁当用容器１００は、脚部３２が起立位置Ｐ１に位置している状態において装飾体本体部３１の少なくとも一部が蓋体２の周壁部２２の上端周縁２２ａから上方に突出するように構成され、脚部３２が倒伏位置Ｐ２に位置している状態において、装飾体本体部３１の全体が装飾体収容部２３の内部に位置するよう構成され、すなわち、装飾体本体部３１の頂部が、蓋体２の周壁部２２の上端周縁２２ａの高さ位置と同じ高さ位置又は蓋体２の周壁部２２の上端周縁２２ａの高さ位置よりも下方に位置するよう構成されているので、弁当用容器１００を上面が上方に突出したデザインとして面白みのある容器としながらも、積み重ねた弁当用容器１００が不安定になることを防止することができる。
【００５３】
＜変形例＞
上記実施の形態においては、脚部３２及び付勢部３３は一対設けられているがこれに限られるものではない。これに代えて、例えば、別の対の脚部３２を一対の第１上壁３１ｂにも連ねて構成し、当該別の対の脚部３２に付勢部３３を設けてもよい。
【００５４】
また、上記実施の形態においては、付勢部３３は、合成樹脂製の板を屈曲させたものとしたがこれに限られるものではない。これに代えて、例えば、付勢部３３をコイルばねとしてもよい。
【００５５】
更に、上記実施の形態においては、容器本体１の底壁部１１は、平板状に形成されているがこれに限られるものではない。これに代えて、容器本体１の底壁部は、上方又は下方に突出する凸部を備えていてもよい。そして、容器本体１の底壁部が上方に突出している場合、複数の弁当用容器を積み上げると、装飾体３の装飾体本体部３１は、蓋体２の周壁部２２の上端周縁２２ａの高さ位置よりも上方に位置する。また、容器本体１の底壁部が下方に突出している場合、複数の弁当用容器を積み上げると、装飾体３の装飾体本体部３１は、蓋体２の周壁部２２の上端周縁２２ａの高さ位置よりも下方に位置する。
【００５６】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００５７】
Ｐ１  起立位置
Ｐ２  倒伏位置
１  容器本体
２  蓋体
３  装飾体
１１  底壁部
１２  周壁部
１２ａ  上端周縁
１２ｂ  下端周縁
１３  容器本体開口部
１５  食品収容部
２１  底壁部
２２  周壁部
２２ａ  上端周縁
２２ｂ  下端周縁
２３  装飾体収容部
３１  装飾体本体部
３１ａ  下端周縁
３１ｂ  第１上壁
３１ｃ  第２上壁
３２  脚部
３３  付勢部
３３ａ  上端部
３３ｂ  中間部
３３ｃ  下端部
１００  弁当用容器
【図１】
0003197135.tif 000003
【図２】
0003197135.tif 000004
【図３】
0003197135.tif 000005
【図４】
0003197135.tif 000006
【図５】
0003197135.tif 000007